(57)【要約】【課題】複数の電話機間における意図しない回線接続を防ぐことが可能なネットワーク装置を提供する。【解決手段】公衆網を介してネットワーク装置に接続される第２の電話機と、インターネット電話である第３の電話機とが通話可能状態であるときに、ネットワーク装置を動作させるための装置動作電圧の供給がなくなった場合、ネットワーク装置に接続された第１の電話機と第２の電話機とが通話可能状態になるのを防ぐ。【選択図】図１
2007104494.tif 000002
【特許請求の範囲】
【請求項１】
複数の電話機の各々が、公衆網を介して、インターネット網を介して、または直接接続されたネットワーク装置であって、
前記複数の電話機のうち、前記ネットワーク装置に直接接続された第１の電話機の接続先を、前記公衆網および前記インターネット網のいずれかに切替えるための切替え手段と、
前記切替え手段を動作させるための動作電圧を、前記切替え手段へ供給するための電源手段とを備え、
前記電源手段は、前記ネットワーク装置を動作させるための装置動作電圧の供給がなくなったときから所定時間、前記動作電圧を供給することができ、
前記複数の電話機のうちの第２の電話機は、前記公衆網を介して前記ネットワーク装置に接続されており、
前記複数の電話機のうちの第３の電話機はインターネット電話であり、
前記切替え手段は、前記第２の電話機と前記第３の電話機とが通話可能状態であるときに、前記ネットワーク装置に供給される前記装置動作電圧がなくなった場合、前記第１の電話機と前記第２の電話機とが通話可能状態になるのを防ぐ誤接続防止手段をさらに備える、ネットワーク装置。
【請求項２】
前記公衆網は、前記第２の電話機と前記第３の電話機とを接続する経路が、前記所定時間よりも短い特定時間、オンフック状態になると、前記公衆網と前記第２の電話機との間で信号の送受信を不可にするものであり、
前記誤接続防止手段は、前記第２の電話機と前記第３の電話機とが通話可能状態であるときに、前記ネットワーク装置に供給される前記装置動作電圧がなくなった場合、前記ネットワーク装置に供給される前記装置動作電圧がなくなったときから前記所定時間経過後に、前記第１の電話機を、前記公衆網と接続する、請求項１に記載のネットワーク装置。
【請求項３】
前記公衆網は、前記第２の電話機と前記第３の電話機とを接続する経路が、前記所定時間よりも短い特定時間、オンフック状態になると、前記公衆網と前記第２の電話機との間で信号の送受信を不可にするものであり、
前記誤接続防止手段は、前記公衆網と前記第２の電話機との間で信号の送受信が不可であるときに、前記ネットワーク装置に供給される前記装置動作電圧がなくなった場合、前記ネットワーク装置に供給される前記装置動作電圧がなくなった後、前記第１の電話機を、前記公衆網と接続する、請求項１に記載のネットワーク装置。
【請求項４】
前記第３の電話機は、前記インターネット網を介して前記ネットワーク装置に接続されており、
前記誤接続防止手段は、前記ネットワーク装置に前記装置動作電圧の供給が開始された後、前記第１の電話機が前記公衆網と非接続である場合、前記第１の電話機を、前記インターネット網と接続する、請求項１〜請求項３のいずれかに記載のネットワーク装置。
【発明の詳細な説明】
【技術分野】
【０００１】
本発明は、ネットワーク装置に関し、特に、電話回線の接続状態を切替え可能なネットワーク装置に関する。
【背景技術】
【０００２】
最近、ＩＰ（Internet Protocol）を用いたＩＰ網通話の普及が進んでいる。そのため、電話機の接続先をＩＰ網または公衆網に選択的に切替える技術（以下、切替え技術ともいう）が必要不可欠となっている。ここで、公衆網とは、ＰＳＴＮ（Public Switched Telephone Networks）（公衆交換電話網）のことである。
【０００３】
切替え技術は、特開２００４−００７３１４号公報（特許文献１）、特開２００５−００５８７５号公報（特許文献２）、特開２００５−０８６２８６号公報（特許文献３）に開示されている。
【０００４】
特開２００４−００７３１４号公報（特許文献１）では、電話番号に基づいて予め作成しておいた料金テーブルを使用して、電話機の接続先を、ＩＰ網または公衆網に選択的に切替える技術が開示されている。
【０００５】
特開２００５−００５８７５号公報（特許文献２）では、電話機の接続先を、電話網またはＩＰ網の呼び出し信号に応じて切り替え、停電時には、電話機の接続先を電話網に接続する技術が開示されている。
【０００６】
特開２００５−０８６２８６号公報（特許文献３）では、停電を検出した場合、公衆網の電力を用いて、電話網から停電前の通話者へダイヤルすることで通話を再開する技術が開示されている。
【特許文献１】特開２００４−００７３１４号公報
【特許文献２】特開２００５−００５８７５号公報
【特許文献３】特開２００５−０８６２８６号公報
【発明の開示】
【発明が解決しようとする課題】
【０００７】
公衆網では、一般的に、１本のケーブルで最大２本の通話が可能であるが、ＩＰ網では、１本のケーブルで３本以上の通話が可能である。
【０００８】
しかしながら、ＩＰ網を使用する通話には電力が必要であるため、停電時にはＩＰ網を使用した通話ができないという問題があった。そこで、ＩＰ網を使用して通話を行なう従来の通信装置は、停電時でも通話を継続可能にするために、停電時は、接続先を公衆網に切替えることができるようになっている。
【０００９】
図８は、通信回線を切替え可能な従来のネットワーク装置１００００の内部構成を示すブロック図である。図８を参照して、ネットワーク装置１００００は、通信部２１０Ａ，２１０Ｃと、通信部２１０Ｂ，２１０Ｄとを備える。通信部２１０Ａ，２１０Ｃは、アナログ電話回線を接続可能なインタフェースの機能を有する。通信部２１０Ａは、アナログ電話回線により、アナログ電話機１００Ａと接続される。通信部２１０Ａは、アナログ電話機１００Ａがオンフック状態およびオフフック状態のいずれであるかを判定する機能を有する。通信部２１０Ｃは、公衆網７０Ｃを介して、アナログ電話機１００Ｃと接続される。
【００１０】
通信部２１０Ｂ，２１０Ｄは、イーサネット（登録商標）を利用した通信用インタフェースの機能を有する。通信部２１０Ｂは、ＩＰ網７０Ｅを介して、ＶｏＩＰ（Voice over Internet Protocol）電話機１００Ｂと接続される。なお、通信部２１０Ｂは、ＬＡＮケーブルにより、直接、ＶｏＩＰ電話機１００Ｂと接続されてもよい。通信部２１０Ｄは、ＩＰ網７０Ｄを介して、ＶｏＩＰ電話機１００Ｄと接続される。なお、通信部２１０Ｄは、ＬＡＮケーブルにより、直接、ＶｏＩＰ電話機１００Ｄと接続されてもよい。
【００１１】
ネットワーク装置１００００は、さらに、制御部２３０と、ＬＩＵ（Line Interface Unit）２２２と、ＳＬＩＣ（Subscriber Line Interface Circuit）２２４と、切替え部２４０とを備える。
【００１２】
制御部２３０は、ネットワーク装置１００００内の各部を制御する機能を有する。また、制御部２３０は、ネットワーク装置１００００内の各部とデータ通信する機能を有する。
【００１３】
ＬＩＵ２２２は、制御部２３０からの指示に応じて、公衆網７０Ｃに接続するための機能を有する回路である。また、ＬＩＵ２２２は、公衆網７０Ｃからの呼び出し信号の受信処理、公衆網７０Ｃからの発信者の電話番号の受信処理、ダイヤル番号の生成処理、音声処理等を行なう機能を有する。
【００１４】
ＳＬＩＣ２２４は、擬似的な公衆網を生成する機能を有する。これにより、通信部２１０Ａに接続されているアナログ電話機１００Ａに対し、呼び出し信号を送信することが可能となる。また、ＳＬＩＣ２２４は、発信者の電話番号の生成処理、電話機からのダイヤル信号の受信処理、音声処理等を行なう機能を有する。
【００１５】
以下の説明において、信号および信号線の２値的な高電圧状態（電圧Ｖｃｃ）および低電圧状態のそれぞれを、「Ｈレベル」および「Ｌレベル」とも称する。
【００１６】
切替え部２４０は、制御部２３０から送信される切替え制御信号に応じて、通信部２１０Ａに接続されているアナログ電話機１００Ａの接続先を、公衆網７０ＣおよびＩＰ網７０Ｄのいずれかに切替える機能を有する。具体的には、切替え部２４０は、切替え制御信号がＬレベルである場合、通信部２１０Ａと通信部２１０Ｃとを電気的に接続する機能を有する。また、切替え部２４０は、切替え制御信号がＨレベルである場合、通信部２１０ＡとＳＬＩＣ２２４とを電気的に接続する機能を有する。
【００１７】
また、切替え部２４０は、後述するシステム用電源部３２０から動作電圧（Ｖｃｃ）が供給されてない場合は、通信部２１０Ａと通信部２１０Ｃとを電気的に接続している。また、切替え部２４０は、後述するシステム用電源部３２０から供給される動作電圧が低下すると、供給される動作電圧がなくなる前に、通信部２１０Ａと通信部２１０Ｃとを電気的に接続する機能を有する。
【００１８】
ネットワーク装置１００００は、さらに、電源部３００を備える。電源部３００は、ＡＣアダプター３１０と、システム用電源部３２０とを含む、ＡＣアダプター３１０は、ＡＣ電源から供給される交流電圧を、所定レベル（たとえば、５Ｖ）の直流電圧に変換して、変換した直流電圧をシステム用電源部３２０へ供給する。
【００１９】
システム用電源部３２０には、ＡＣアダプター３１０から直流電圧が供給される。システム用電源部３２０は、ネットワーク装置１００００内の各部（たとえば、切替え部２４０）へ動作電圧Ｖｃｃを供給する。すなわち、ネットワーク装置１００００内の各部は、動作電圧Ｖｃｃで動作する。
【００２０】
ネットワーク装置１００００は、アナログ電話機１００ＡとＶｏＩＰ電話機１００Ｄとの通話処理と、アナログ電話機１００ＣとＶｏＩＰ電話機１００Ｂとの通話処理とを同時に実行させることができる。すなわち、ネットワーク装置１００００は、複数の通話処理を同時に実行させることができる。
【００２１】
この場合、アナログ電話機１００Ａは、通信部２１０Ａ、切替え部２４０、ＳＬＩＣ２２４、制御部２３０、通信部２１０ＤおよびＩＰ網７０Ｄからなる第１の通話経路を介して、ＶｏＩＰ電話機１００Ｄと通話をすることができる。また、アナログ電話機１００Ｃは、公衆網７０Ｃ、通信部２１０Ｃ、ＬＩＵ２２２、制御部２３０、通信部２１０ＢおよびＩＰ網７０Ｅからなる第２の通話経路を介して、ＶｏＩＰ電話機１００Ｂと通話をすることができる。第１および第２の通話経路が同時に使用されている状態で停電（電源部３００への電力の低下）が発生すると、ネットワーク装置１００００は、アナログ電話機１００Ａの接続先を、ＩＰ網７０Ｄから公衆網７０Ｃに切替える処理を行なう。具体的には、切替え部２４０が、システム用電源部３２０から供給される動作電圧が低下すると、供給される動作電圧がなくなる前に、通信部２１０Ａと通信部２１０Ｃとを電気的に接続させる。
【００２２】
そのため、アナログ電話機１００Ａは、公衆網７０Ｃの電力を使用して、通信部２１０Ａ、切替え部２４０、通信部２１０Ｃおよび公衆網７０Ｃからなる第３の通話経路を介して、アナログ電話機１００Ｃと通話処理が行なわれることになる。すなわち、従来のネットワーク装置１００００では、第１および第２の通話経路が同時に使用されている状態で停電が発生すると、アナログ電話機１００Ａは、ＶｏＩＰ電話機１００Ｄと通話しているときに、意図しないアナログ電話機１００Ｃと通話が可能な状態になるという問題がある。
【００２３】
これは、公衆網の回線の特性によるもので、公衆網７０Ｃと公衆網７０Ｃに接続されるアナログ電話機１００Ｃとの間で信号の送受信が不可となるためには、アナログ電話機１００ＣとＶｏＩＰ電話機１００Ｂとの間の経路となる回線のオンフック状態が１秒以上検出されることが必要となる。以下においては、公衆網と、当該公衆網に接続されるアナログ電話機との間で信号の送受信が不可となるのに必要な時間を、公衆網通信不可必要時間ともいう。
【００２４】
したがって、たとえば、停電等の発生により、ＬＩＵ２２２が動作しなくなり、アナログ電話機１００Ｃと、ＶｏＩＰ電話機１００Ｂとを接続する経路となる回線が切断されたとしても、前述の切替え部２４０の動作により、通信部２１０Ａと通信部２１０Ｃとが接続される。そのため、アナログ電話機１００Ａおよびアナログ電話機１００Ｃがオフフック状態であれば、アナログ電話機１００Ａは、意図しないアナログ電話機１００Ｃと接続されるという不都合が生じる。
【００２５】
本発明は、上述の問題点を解決するためになされたものであって、その目的は、複数の電話機間における意図しない回線接続を防ぐことが可能なネットワーク装置を提供することである。
【課題を解決するための手段】
【００２６】
上述の課題を解決するために、この発明のある局面に従うと、複数の電話機の各々が、公衆網を介して、インターネット網を介して、または直接接続されたネットワーク装置は、複数の電話機のうち、ネットワーク装置に直接接続された第１の電話機の接続先を、公衆網およびインターネット網のいずれかに切替えるための切替え手段と、切替え手段を動作させるための動作電圧を、切替え手段へ供給するための電源手段とを備え、電源手段は、ネットワーク装置を動作させるための装置動作電圧の供給がなくなったときから所定時間、動作電圧を供給することができ、複数の電話機のうちの第２の電話機は、公衆網を介してネットワーク装置に接続されており、複数の電話機のうちの第３の電話機はインターネット電話であり、切替え手段は、第２の電話機と第３の電話機とが通話可能状態であるときに、ネットワーク装置に供給される装置動作電圧がなくなった場合、第１の電話機と第２の電話機とが通話可能状態になるのを防ぐ誤接続防止手段をさらに備える。
【００２７】
好ましくは、公衆網は、第２の電話機と第３の電話機とを接続する経路が、所定時間よりも短い特定時間、オンフック状態になると、公衆網と第２の電話機との間で信号の送受信を不可にするものであり、誤接続防止手段は、第２の電話機と第３の電話機とが通話可能状態であるときに、ネットワーク装置に供給される装置動作電圧がなくなった場合、ネットワーク装置に供給される装置動作電圧がなくなったときから所定時間経過後に、第１の電話機を、公衆網と接続する。
【００２８】
好ましくは、公衆網は、第２の電話機と第３の電話機とを接続する経路が、所定時間よりも短い特定時間、オンフック状態になると、公衆網と第２の電話機との間で信号の送受信を不可にするものであり、誤接続防止手段は、公衆網と第２の電話機との間で信号の送受信が不可であるときに、ネットワーク装置に供給される装置動作電圧がなくなった場合、ネットワーク装置に供給される装置動作電圧がなくなった後、第１の電話機を、公衆網と接続する。
【００２９】
好ましくは、第３の電話機は、インターネット網を介してネットワーク装置に接続されており、誤接続防止手段は、ネットワーク装置に装置動作電圧の供給が開始された後、第１の電話機が公衆網と非接続である場合、第１の電話機を、インターネット網と接続する。
【発明の効果】
【００３０】
本発明に係るネットワーク装置は、公衆網を介してネットワーク装置に接続される第２の電話機と、インターネット電話である第３の電話機とが通話可能状態であるときに、ネットワーク装置を動作させるための装置動作電圧の供給がなくなった場合、ネットワーク装置に接続された第１の電話機と第２の電話機とが通話可能状態になるのを防ぐ。
【００３１】
したがって、複数の電話機間における意図しない回線接続を防ぐことができるという効果を奏する。
【発明を実施するための最良の形態】
【００３２】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３３】
図１は、本実施の形態におけるネットワーク装置１０００の内部構成を示すブロック図である。図１を参照して、ネットワーク装置１０００は、図８のネットワーク装置１００００と比較して、状態保持部４００をさらに備える点と、電源部３００の代わりに電源部３００Ａを備える点と、通信部２１０Ａが、制御部２３０とデータ通信する点とが異なる。それ以外は、ネットワーク装置１００００と同様なので詳細な説明は繰り返さない。
【００３４】
電源部３００Ａは、図８の電源部３００と比較して、システム用電源部３２０の代わりにシステム用電源部３２０Ａを含む点と、切替え用電源部３２２Ａをさらに含む点とが異なる。それ以外は、電源部３００と同様なので詳細な説明は繰り返さない。
【００３５】
システム用電源部３２０Ａには、ＡＣアダプター３１０から直流電圧が供給される。システム用電源部３２０Ａは、ネットワーク装置１０００内の切替え部２４０および状態保持部４００以外の各部へ動作電圧Ｖｃｃを供給する。なお、システム用電源部３２０Ａは、制御部２３０の動作電圧である電圧供給信号ＣＴＰＯＷを、制御部２３０へ供給するとともに、状態保持部４００へも供給する。なお、状態保持部４００は、電圧供給信号ＣＴＰＯＷを動作電圧として使用せず、電圧供給信号ＣＴＰＯＷの電圧レベルを監視する。
【００３６】
切替え用電源部３２２Ａは、切替え部２４０および状態保持部４００へ動作電圧Ｖｃｃを供給する。すなわち、本実施の形態における電源部３００Ａは、電源部３００と比較して、切替え部２４０および状態保持部４００専用の電源部である切替え用電源部３２２Ａを含む。
【００３７】
切替え用電源部３２２Ａは、ＡＣアダプター３１０から供給される直流電圧を利用して、所定量の電力を蓄える機能を有する。具体的には、切替え用電源部３２２Ａは、所定量の電力を蓄える大容量のコンデンサを備える。したがって、切替え用電源部３２２Ａは、停電等が発生し、ＡＣアダプター３１０から供給される電圧がなくなっても、所定時間Ｔ１（たとえば、２秒）、切替え部２４０および状態保持部４００へ所定レベルの電圧（電圧Ｖｃｃ）を供給することが可能である。ここで、所定時間Ｔ１は、公衆網７０Ｃの回線を切断するために必要な公衆網通信不可必要時間（たとえば、１秒）より長い時間である。
【００３８】
切替え用電源部３２２Ａは、ＡＣアダプター３１０から切替え用電源部３２２Ａおよびシステム用電源部３２０Ａに直流電圧の供給が開始された後、電源リセット信号ＰＯＷＲＥＳを、状態保持部４００へ送信する。なお、電源リセット信号ＰＯＷＲＥＳは、状態保持部４００を初期化するために、所定時間（たとえば、１秒）Ｌレベルを保ち、その後、Ｈレベルとなる信号である。また、電源リセット信号ＰＯＷＲＥＳは、ＡＣアダプター３１０から切替え用電源部３２２Ａおよびシステム用電源部３２０Ａに直流電圧の供給が停止されるまで、Ｈレベルを保持する。
【００３９】
なお、ＡＣアダプター３１０から切替え用電源部３２２Ａおよびシステム用電源部３２０Ａに直流電圧の供給が開始されてから、切替え用電源部３２２Ａが前述した各部へ供給する動作電圧のレベルがＶｃｃ（Ｈレベル）になるまでの時間は、システム用電源部３２０Ａが前述した各部へ供給する動作電圧のレベルがＶｃｃ（Ｈレベル）になるまでの時間より所定時間（たとえば、２秒）だけ短い。
【００４０】
通信部２１０Ａは、前述したように、アナログ電話機１００Ａがオンフック状態およびオフフック状態のいずれであるかを判定し、制御部２３０へ送信する電話状態信号ＴＥＬＳＴをＨレベルまたはＬレベルに設定する。Ｌレベルの電話状態信号ＴＥＬＳＴは、アナログ電話機１００Ａがオンフック状態であることを示す信号である。一方、Ｈレベルの電話状態信号ＴＥＬＳＴは、アナログ電話機１００Ａがオフフック状態であることを示す信号である。
【００４１】
制御部２３０は、ネットワーク装置１０００内の各部の状態に応じて、回線切替え信号ＴＥＬＣＨ、回線切替え信号ＩＰＣＨおよび書込み信号ＷＲを、状態保持部４００へ送信する。回線切替え信号ＴＥＬＣＨ、回線切替え信号ＩＰＣＨおよび書込み信号ＷＲは、状態保持部４００を制御するための信号である。
【００４２】
状態保持部４００は、制御部２３０から送信される複数の信号および電圧供給信号ＣＴＰＯＷに基づいて、切替え部２４０の回線の接続状態を切替えるための切替え制御信号ＣＨＯＵＴを、切替え部２４０へ送信する。
【００４３】
図２は、状態保持部４００の内部構成を示したブロック図である。図２を参照して、状態保持部４００は、フリップフロップ回路４１０，４２０を含む。フリップフロップ回路４１０は、入力端子Ｓ＃，Ｄ，ＣＬＫ，Ｒ＃と、出力端子Ｑとを含む。フリップフロップ回路４１０の入力端子Ｓ＃，Ｄ，ＣＬＫには、それぞれ、電源リセット信号ＰＯＷＲＥＳ、回線切替え信号ＴＥＬＣＨおよび書込み信号ＷＲが入力される。
【００４４】
フリップフロップ回路４１０の入力端子Ｒ＃には、切替え用電源部３２２Ａから動作電圧Ｖｃｃが供給される。すなわち、フリップフロップ回路４１０の入力端子Ｒ＃には、切替え用電源部３２２ＡにＡＣアダプター３１０から所定レベルの直流電圧が供給される限り、Ｈレベルの信号が入力される。フリップフロップ回路４１０の出力端子Ｑからは、出力信号ＦＦ１ＯＵＴが出力される。
【００４５】
フリップフロップ回路４２０は、フリップフロップ回路４１０と同様、入力端子Ｓ＃，Ｄ，ＣＬＫ，Ｒ＃と、出力端子Ｑとを含む。フリップフロップ回路４２０の入力端子Ｓ＃，Ｄ，ＣＬＫ，Ｒ＃には、それぞれ、出力信号ＦＦ１ＯＵＴ、回線切替え信号ＩＰＣＨ、書込み信号ＷＲおよび電圧供給信号ＣＴＰＯＷが入力される。フリップフロップ回路４２０の出力端子Ｑからは、切替え制御信号ＣＨＯＵＴが出力される。フリップフロップ回路４２０は、フリップフロップ回路４１０と同じ動作テーブル（以下に説明する動作テーブルＴ１００）に基づいて動作する。
【００４６】
なお、状態保持部４００は、後述する処理を行なうことができる回路構成であれば、上記の回路構成に限定されることはなく、他の回路構成であってもよい。
【００４７】
図３は、動作テーブルＴ１００を示す図である。図３を参照して、動作テーブルＴ１００に示される「番号」は、行番号を示す。動作テーブルＴ１００に示される「ＩＮＰＵＴＳ」は、フリップフロップ回路４１０，４２０の各入力端子を示す。動作テーブルＴ１００に示される「ＯＵＴＰＵＴ」は、フリップフロップ回路４１０，４２０の出力端子を示す。
【００４８】
動作テーブルＴ１００に示される「Ｈ」は、対応する列の入力端子に入力される信号のレベルおよび対応する列の出力端子から出力される信号のレベルがＨレベルであることを示す。動作テーブルＴ１００に示される「Ｌ」は、対応する列の入力端子に入力される信号のレベルおよび対応する列の出力端子から出力される信号のレベルがＬレベルであることを示す。
【００４９】
動作テーブルＴ１００に示される「Ｌ→Ｈ」は、対応する列の入力端子に入力される信号が、ＬレベルからＨレベルに変化したということを示す。動作テーブルＴ１００に示される「Ｈ→Ｌ」は、対応する列の入力端子に入力される信号が、ＨレベルからＬレベルに変化したということを示す。動作テーブルＴ１００に示される「Ｈ  ｏｒ  Ｌ」は、対応する列の入力端子に入力される信号が、ＨレベルまたはＬレベルのいずれでも、対応する行の出力信号のレベルには影響を及ぼさないことを示す。
【００５０】
動作テーブルＴ１００に示される「Ｘ」は、対応する列の入力端子に入力される信号のレベルに関係なく、対応する行の出力信号のレベルが決定されることを示す。
【００５１】
たとえば、動作テーブルＴ１００において、行番号“１”に対応する入力端子Ｓ＃，Ｒ＃，Ｄ，ＣＬＫは、それぞれ、Ｌ，Ｈ，Ｘ，Ｘが対応する。
【００５２】
動作テーブルＴ１００に示される「ＮＯ  ＣＨＡＮＧＥ」は、対応する行の複数の入力端子の各々に入力される信号が、動作テーブルＴ１００に示される状態であっても、対応する列の出力端子から出力される信号のレベルは変化しないことを示す。
【００５３】
たとえば、出力端子Ｑから出力される信号がＨレベルであるとき、入力端子Ｓ＃，Ｒ＃の各々に入力される信号のレベルがＨレベルであり、入力端子ＣＬＫに入力される信号がＨレベルからＬレベルに変化しても、出力端子Ｑから出力される信号は、Ｈレベルのままとなる。
【００５４】
次に、ネットワーク装置１０００の動作を説明する。なお、ネットワーク装置１０００に動作電圧が供給されていない場合であっても、アナログ電話機１００Ａは、公衆網７０Ｃの電力を使用して、アナログ電話機１００Ｃと電話できる。この場合、切替え部２４０は、通信部２１０Ａと通信部２１０Ｃとを電気的に接続している。以下においては、ネットワーク装置１０００を動作させるための電圧を、装置動作電圧ともいう。
【００５５】
ネットワーク装置１０００に十分な装置動作電圧が供給されると、ネットワーク装置１０００は、まず、アナログ電話機１００Ａが、ＶｏＩＰ電話機１００ＢまたはＶｏＩＰ電話機１００Ｄと電話できる状態にする。
【００５６】
図４は、ネットワーク装置１０００の動作を説明するための、一例としての動作波形図である。図４を参照して、時刻ｔ０より前の時刻では、ＡＣアダプター３１０にＡＣ電源から交流電圧が供給されていない。すなわち、ネットワーク装置１０００には装置動作電圧が供給されておらず、電源がオフの状態である。ネットワーク装置１０００の電源がオンにされると、時刻ｔ０において、ＡＣ電源からＡＣアダプター３１０に交流電圧の供給が開始される。
【００５７】
その後、時刻ｔ１において、切替え用電源部３２２Ａが切替え部２４０および状態保持部４００へ供給する動作電圧のレベルがＨレベル（Ｖｃｃ）となる。したがって、時刻ｔ１では、切替え部２４０および状態保持部４００内のフリップフロップ回路４１０，４２０が正常に動作する。
【００５８】
また、時刻ｔ１において、切替え用電源部３２２Ａは、電源リセット信号ＰＯＷＲＥＳを状態保持部４００へ送信する。電源リセット信号ＰＯＷＲＥＳは前述したように、所定時間（たとえば、１秒）Ｌレベルを保ち、その後、Ｈレベルとなる信号である。なお、時刻ｔ１において、制御部２３０の動作電圧である電圧供給信号ＣＴＰＯＷの電圧のレベルはＬレベルである。したがって、時刻ｔ１において、制御部２３０は動作できないので、回線切替え信号ＴＥＬＣＨ、回線切替え信号ＩＰＣＨおよび書込み信号ＷＲの電圧のレベルは、Ｌレベルとなる。
【００５９】
したがって、フリップフロップ回路４１０の入力端子Ｓ＃，Ｄ，ＣＬＫには、それぞれ、Ｌレベルの電源リセット信号ＰＯＷＲＥＳ、Ｌレベルの回線切替え信号ＴＥＬＣＨおよびＬレベルの書込み信号ＷＲが入力される。また、フリップフロップ回路４１０の入力端子Ｒ＃にはＨレベルの信号が入力される。
【００６０】
そのため、時刻ｔ１において、フリップフロップ回路４１０の出力信号ＦＦ１ＯＵＴは、動作テーブルＴ１００の行番号“１”の各データにより、Ｈレベルとなる。
【００６１】
その後、時刻ｔ２において、電源リセット信号ＰＯＷＲＥＳはＨレベルとなる。その後、時刻ｔ３において、制御部２３０の動作電圧である電圧供給信号ＣＴＰＯＷの電圧のレベルはＨレベルとなる。そのため、時刻ｔ３において、制御部２３０は、正常に動作できるようになる。また、時刻ｔ３において、ネットワーク装置１０００内の各部は、正常に動作できるようになる。
【００６２】
通信部２１０Ａは、アナログ電話機１００Ａがオンフック状態であることを判定し、電話状態信号ＴＥＬＳＴをＬレベルに設定する。
【００６３】
制御部２３０は電話状態信号ＴＥＬＳＴがＬレベルである場合、すなわち、アナログ電話機１００Ａがオンフック状態である場合、時刻ｔ４において、回線切替え信号ＩＰＣＨをＨレベルに設定する。なお、アナログ電話機１００Ａがオンフック状態でない場合、制御部２３０は、アナログ電話機１００Ａがオンフック状態になった後、回線切替え信号ＩＰＣＨをＨレベルに設定する。
【００６４】
その後、時刻ｔ５において、制御部２３０は、書込み信号ＷＲを、ＬからＨレベルに設定する。その後、制御部２３０は、書込み信号ＷＲをＬレベルに設定する。
【００６５】
前述した時刻ｔ５に行なわれた処理により、時刻ｔ６において、フリップフロップ回路４１０の出力信号ＦＦ１ＯＵＴは、動作テーブルＴ１００の行番号“４”の各データにより、Ｌレベルとなる。その後、書込み信号ＷＲはＨレベルからＬレベルに設定されるが、フリップフロップ回路４１０の出力信号ＦＦ１ＯＵＴは、動作テーブルＴ１００の行番号“６”の各データにより、Ｌレベルを維持する。
【００６６】
また、時刻ｔ５に行なわれた処理により、時刻ｔ６において、フリップフロップ回路４２０の切替え制御信号ＣＨＯＵＴは、動作テーブルＴ１００の行番号“５”の各データにより、Ｈレベルとなる。その後、書込み信号ＷＲはＨレベルからＬレベルに設定されるが、フリップフロップ回路４２０の切替え制御信号ＣＨＯＵＴは、動作テーブルＴ１００の行番号“１”の各データにより、Ｈレベルを維持する。
【００６７】
したがって、切替え部２４０は、通信部２１０ＡとＳＬＩＣ２２４とを電気的に接続する。
【００６８】
これにより、アナログ電話機１００Ａが、ＶｏＩＰ電話機１００ＢまたはＶｏＩＰ電話機１００Ｄと電話できる状態になる。すなわち、ネットワーク装置１０００の電源がオンにされた後、制御部２３０は、アナログ電話機１００Ａがオンフック状態である場合に、アナログ電話機１００Ａが、ＶｏＩＰ電話機１００ＢまたはＶｏＩＰ電話機１００Ｄと電話できる状態にする。
【００６９】
この理由を以下に説明する。アナログ電話機１００Ａが、たとえば、アナログ電話機１００Ｃと通話している場合、アナログ電話機１００Ａはオフフック状態である。アナログ電話機１００Ａがオフフック状態である場合に、上記処理をしてしまうと、アナログ電話機１００Ａと、アナログ電話機１００Ｃとの通話が途切れてしまう。この通話の途切れを防ぐことが、アナログ電話機１００Ａがオンフック状態である場合に、制御部２３０によりアナログ電話機１００ＡがＶｏＩＰ電話機１００ＢまたはＶｏＩＰ電話機１００Ｄと通話できる状態にされる理由である。
【００７０】
なお、時刻ｔ６から時刻ｔ７の間の時刻において、アナログ電話機１００Ａがオフフック状態になり、アナログ電話機１００Ａが、ＶｏＩＰ電話機１００Ｄに対し電話をかける処理が行なわれたとする。この場合、制御部２３０は、通信部２１０Ａ、切替え部２４０およびＳＬＩＣ２２４を介して、アナログ電話機１００Ａから出力されたダイヤル信号Ａを受信する。この場合、ダイヤル信号Ａは、ＶｏＩＰ電話機１００Ｄの電話番号等のダイヤル情報を含む。
【００７１】
そして、制御部２３０は、受信したダイヤル信号Ａに基づいて、通信部２１０Ｄを介して、ＩＰ網７０Ｄに対し、ダイヤル信号Ａに基づく電話番号で発呼処理を行なう。これにより、ＶｏＩＰ電話機１００Ｄは、呼び出し状態となる。そして、ユーザが、ＶｏＩＰ電話機１００Ｄをオフフック状態にすると、アナログ電話機１００Ａと、ＶｏＩＰ電話機１００Ｄとが通話可能状態となる。以上により、アナログ電話機１００ＡとＶｏＩＰ電話機１００Ｄとが通話可能状態になる。アナログ電話機１００ＡとＶｏＩＰ電話機１００Ｄとが通話可能状態の場合、アナログ電話機１００Ａは、オフフック状態である。
【００７２】
したがって、通信部２１０Ａは、アナログ電話機１００Ａがオフフック状態であることを判定し、電話状態信号ＴＥＬＳＴをＨレベルに設定する。
【００７３】
制御部２３０は、電話状態信号ＴＥＬＳＴがＨレベルである場合、すなわち、アナログ電話機１００Ａがオフフック状態である場合、時刻ｔ７において、回線切替え信号ＴＥＬＣＨをＨレベルに設定する。その後、時刻ｔ８において、制御部２３０は、書込み信号ＷＲを、ＬからＨレベルに設定する。その後、制御部２３０は、書込み信号ＷＲをＬレベルに設定する。
【００７４】
時刻ｔ８に行なわれた処理により、時刻ｔ９において、フリップフロップ回路４１０の出力信号ＦＦ１ＯＵＴは、動作テーブルＴ１００の行番号“５”の各データにより、Ｈレベルとなる。その後、書込み信号ＷＲはＨレベルからＬレベルに設定されるが、フリップフロップ回路４１０の出力信号ＦＦ１ＯＵＴは、動作テーブルＴ１００の行番号“６”の各データにより、Ｈレベルを維持する。
【００７５】
また、時刻ｔ８に行なわれた処理により、時刻ｔ９において、フリップフロップ回路４２０の切替え制御信号ＣＨＯＵＴは、動作テーブルＴ１００の行番号“１”の各データにより、Ｈレベルのままである。その後、書込み信号ＷＲはＨレベルからＬレベルに設定されるが、フリップフロップ回路４２０の切替え制御信号ＣＨＯＵＴは、動作テーブルＴ１００の行番号“６”の各データにより、Ｈレベルを維持する。
【００７６】
ここで、時刻ｔ７から時刻ｔ１０の間の時刻において、ＶｏＩＰ電話機１００Ｂがアナログ電話機１００Ｃに対し電話をかける処理が行なわれたとする。この場合、制御部２３０は、ＩＰ網７０Ｅおよび通信部２１０Ｂを介して、ＶｏＩＰ電話機１００Ｂから出力されたダイヤル信号Ｂを受信する。この場合、ダイヤル信号Ｂは、アナログ電話機１００Ｃの電話番号等のダイヤル情報を含む。
【００７７】
そして、制御部２３０は、受信したダイヤル信号Ｂに基づいて、ＬＩＵ２２２に対して、公衆網７０Ｃに対し発呼処理するための制御指示およびダイヤル信号Ｂを送る。ＬＩＵ２２２は、受信した制御指示に応じて、通信部２１０Ｃを介して、公衆網７０Ｃ対し、ダイヤル信号Ｂに基づく電話番号で発呼処理を行なう。これにより、アナログ電話機１００Ｃは呼び出し状態となる。そして、ユーザが、アナログ電話機１００Ｃをオフフック状態にすると、アナログ電話機１００Ｃと、ＶｏＩＰ電話機１００Ｂとが通話可能状態になる。
【００７８】
以上により、アナログ電話機１００ＡとＶｏＩＰ電話機１００Ｄとが通話可能状態になり、アナログ電話機１００ＣとＶｏＩＰ電話機１００Ｂとが通話可能状態になる。アナログ電話機１００ＣとＶｏＩＰ電話機１００Ｂとが通話可能状態とは、すなわち、制御部２３０が公衆網７０Ｃと通信可能な状態である。なお、アナログ電話機１００ＣとＶｏＩＰ電話機１００Ｄとが通話可能状態も、制御部２３０が公衆網７０Ｃと通信可能な状態である。
【００７９】
制御部２３０は、制御部２３０が公衆網７０Ｃと通信可能な状態になると、時刻ｔ１０において、回線切替え信号ＴＥＬＣＨをＬレベルに設定する。その後、時刻ｔ１１において、制御部２３０は、書込み信号ＷＲを、ＬからＨレベルに設定する。その後、制御部２３０は、書込み信号ＷＲをＬレベルに設定する。
【００８０】
時刻ｔ１１に行なわれた処理により、時刻ｔ１２において、フリップフロップ回路４１０の出力信号ＦＦ１ＯＵＴは、動作テーブルＴ１００の行番号“４”の各データにより、Ｌレベルとなる。その後、書込み信号ＷＲはＨレベルからＬレベルに設定されるが、フリップフロップ回路４１０の出力信号ＦＦ１ＯＵＴは、動作テーブルＴ１００の行番号“６”の各データにより、Ｌレベルを維持する。
【００８１】
また、時刻ｔ１１に行なわれた処理により、フリップフロップ回路４２０の切替え制御信号ＣＨＯＵＴは、動作テーブルＴ１００の行番号“５”の各データにより、Ｈレベルを維持する。その後、書込み信号ＷＲはＨレベルからＬレベルに設定されるが、フリップフロップ回路４２０の切替え制御信号ＣＨＯＵＴは、動作テーブルＴ１００の行番号“６”の各データにより、Ｈレベルを維持する。
【００８２】
その後、時刻ｔ１３において、停電が発生したとする。この場合、システム用電源３２０Ａが各部へ供給する動作電圧のレベルはＬレベルとなる。したがって、制御部２３０の動作電圧である電圧供給信号ＣＴＰＯＷもＬレベルとなる。そのため、制御部２３０から出力される回線切替え信号ＩＰＣＨもＬレベルとなる。また、ＬＩＵ２２２、ＳＬＩＣ２２４も動作が停止する。そのため、アナログ電話機１００ＣとＶｏＩＰ電話機１００Ｂとの間の回線がオンフック状態になる。そして、ＬＩＵ２２２の動作が停止してから、公衆網通信不可必要時間が経過すると、公衆網７０Ｃに接続されているアナログ電話機１００Ｃと公衆網７０との間で信号の送受信が不可となる。
【００８３】
切替え用電源部３２２Ａは、停電が発生し、ＡＣアダプター３１０から供給される電圧がなくなっても、公衆網通信不可必要時間より長い所定時間Ｔ１（たとえば、２秒）、切替え部２４０および状態保持部４００へ所定レベルの動作電圧（電圧Ｖｃｃ）を供給することが可能である。したがって、時刻ｔ１３においても、切替え部２４０および状態保持部４００は正常に動作可能である。
【００８４】
時刻ｔ１３において、フリップフロップ回路４１０の出力信号ＦＦ１ＯＵＴは、動作テーブルＴ１００の行番号“７”の各データにより、Ｌレベルを維持する。
【００８５】
また、時刻ｔ１３において、フリップフロップ回路４２０の切替え制御信号ＣＨＯＵＴは、動作テーブルＴ１００の行番号“３”の各データにより、Ｈレベルを維持する。したがって、停電が発生した時刻ｔ１３においても、切替え部２４０の動作により、通信部２１０Ａと通信部２１０Ｃとが電気的に接続されることはない。
【００８６】
また、切替え用電源部３２２Ａは、前述したように、ＡＣアダプター３１０から供給される電圧がなくなったときから、公衆網通信不可必要時間より長い所定時間Ｔ１、切替え部２４０および状態保持部４００へ所定レベルの動作電圧（電圧Ｖｃｃ）を供給することが可能である。
【００８７】
そのため、時刻ｔ１３から所定時間Ｔ１経過した時刻ｔ１４になると、切替え用電源部３２２Ａの供給する動作電圧はＬレベルとなる。したがって、状態保持部４００に供給される動作電圧がＬレベルとなり、状態保持部４００から出力される切替え制御信号ＣＨＯＵＴはＬレベルとなる。
【００８８】
また、切替え部２４０は、システム用電源部３２０から供給される動作電圧が低下すると、供給される電圧がなくなる前に、通信部２１０Ａと、通信部２１０Ｃとを電気的に接続する。
【００８９】
以上の処理により、アナログ電話機１００ＡとＶｏＩＰ電話機１００Ｄとが通話可能状態であり、アナログ電話機１００ＣとＶｏＩＰ電話機１００Ｂとが通話可能状態であるときに、停電等により、ネットワーク装置１０００に装置動作電圧が供給されなくなっても、アナログ電話機１００Ａが、意図しないアナログ電話機１００Ｃと接続されるという不都合を防ぐことができる。すなわち、複数の電話機間における意図しない回線接続を防ぐことができるという効果を奏する。
【００９０】
次に、アナログ電話機１００ＡとＶｏＩＰ電話機１００Ｄとが通話可能状態であり、アナログ電話機１００ＣとＶｏＩＰ電話機１００Ｂとが通話可能状態でない状態（以下、１回線接続状態ともいう）の処理について説明する。すなわち、図４において説明したＶｏＩＰ電話機１００Ｂがアナログ電話機１００Ｃに対し電話をかける処理が行なわれてないとする。
【００９１】
図５は、ネットワーク装置１０００の動作を説明するための、一例としての動作波形図である。なお、図５の動作波形図は、ＶｏＩＰ電話機１００Ｂがアナログ電話機１００Ｃに対し電話をかける処理を行なってないときの動作波形図である。図５を参照して、図５の動作波形図において、時刻ｔ０〜時刻ｔ９までの処理は、前述の図４の時刻ｔ０〜時刻ｔ９までの説明と同様なので詳細な説明は繰り返さない。
【００９２】
なお、時刻ｔ６から時刻ｔ７の間の時刻において、アナログ電話機１００Ａがオフフック状態になり、アナログ電話機１００Ａが、ＶｏＩＰ電話機１００Ｄに対し電話をかける処理が行なわれたとする。この処理は、図４で説明した処理と同様なので詳細な説明は繰り返さない。この処理により、アナログ電話機１００ＡとＶｏＩＰ電話機１００Ｄとが通話可能状態となる。
【００９３】
また、時刻ｔ７以降において、ＶｏＩＰ電話機１００Ｂがアナログ電話機１００Ｃに対し電話をかける処理は行なわれないとする。
【００９４】
その後、時刻ｔ１３において、停電が発生したとする。この場合、システム用電源３２０Ａが各部へ供給する動作電圧のレベルはＬレベルとなる。したがって、制御部２３０の動作電圧である電圧供給信号ＣＴＰＯＷもＬレベルとなる。そのため、制御部２３０から出力される回線切替え信号ＴＥＬＣＨおよび回線切替え信号ＩＰＣＨもＬレベルとなる。また、ＬＩＵ２２２、ＳＬＩＣ２２４も動作が停止する。これにより、アナログ電話機１００ＡとＶｏＩＰ電話機１００Ｄとは、通話可能状態でなくなる。
【００９５】
切替え用電源部３２２Ａは、停電が発生し、ＡＣアダプター３１０から供給される電圧がなくなっても、公衆網通信不可必要時間より長い所定時間Ｔ１、切替え部２４０および状態保持部４００へ所定レベルの電圧（電圧Ｖｃｃ）を供給することが可能である。したがって、時刻ｔ１３においても、切替え部２４０および状態保持部４００は正常に動作可能である。
【００９６】
時刻ｔ１３において、フリップフロップ回路４１０の出力信号ＦＦ１ＯＵＴは、動作テーブルＴ１００の行番号“７”の各データにより、Ｈレベルを維持する。
【００９７】
また、時刻ｔ１３において、フリップフロップ回路４２０の切替え制御信号ＣＨＯＵＴは、動作テーブルＴ１００の行番号“２”の各データにより、Ｌレベルとなる。したがって、切替え部２４０は、Ｌレベルの切替え制御信号ＣＨＯＵＴに応じて、通信部２１０Ａと、通信部２１０Ｃとを電気的に接続する機能を有する。なお、このとき、アナログ電話機１００Ｃは、オンフック状態であるので、アナログ電話機１００ＡとＶｏＩＰ電話機１００Ｄとが通話可能状態であるときに、停電等により、ネットワーク装置１０００に電力が供給されなくなっても、アナログ電話機１００Ａが、意図しないアナログ電話機１００Ｃと接続されるという不都合を防ぐことができる。すなわち、複数の電話機間における意図しない回線接続を防ぐことができるという効果を奏する。
【００９８】
なお、時刻ｔ１３から所定時間Ｔ１経過した時刻ｔ１４になると、切替え用電源部３２２Ａの供給する動作電圧はＬレベルとなる。したがって、状態保持部４００に供給される動作電圧もＬレベルとなる。そのため、出力信号ＦＦ１ＯＵＴはＬレベルとなる。
【００９９】
次に、アナログ電話機１００ＡとＶｏＩＰ電話機１００Ｄとが通話可能状態のときに、ＶｏＩＰ電話機１００Ｂがアナログ電話機１００Ｃに対し電話をかける処理が行なわれたか否かを判定する処理（以下、公衆網接続判定処理ともいう）について説明する。
【０１００】
図６は、公衆網接続判定処理のフローチャートである。図６を参照して、ステップＳ１１０では、公衆網への接続要求があるか否かを判定する。具体的には、ＶｏＩＰ電話機１００ＢまたはＶｏＩＰ電話機１００Ｄが、公衆網７０Ｃに接続されているアナログ電話機１００Ｃに対し電話をかける処理を行なったか否かが、制御部２３０により判定される。なお、ここでは、ＶｏＩＰ電話機１００Ｂがアナログ電話機１００Ｃに対し電話をかける処理を行なったとする。
【０１０１】
ステップＳ１１０において、ＹＥＳならば、ステップＳ１２０に進む。一方、ステップＳ１１０において、ＮＯならば、再度、ステップＳ１１０の処理が行なわれる。
【０１０２】
ステップＳ１２０では、回線接続処理が行なわれる。回線接続処理では、前述の図４の時刻ｔ７から時刻ｔ１０の間の時刻において、ＶｏＩＰ電話機１００Ｂがアナログ電話機１００Ｃに対し電話をかける処理が行なわれたときの処理と同様な処理が行なわれるので詳細な説明は繰り返さない。その後、ステップＳ１３０に進む。
【０１０３】
ステップＳ１３０では、状態保持部記憶処理が行なわれる。状態保持部記憶処理では、制御部２３０が公衆網７０Ｃと通信可能な状態を状態保持部４００に記憶させる処理が行なわれる。具体的には、前述の図４の時刻ｔ１０，ｔ１１において、制御部２３０が行なう処理が行なわれるので詳細な説明は繰り返さない。すなわち、フリップフロップ回路４１０の出力信号ＦＦ１ＯＵＴがＬレベルに設定される。その後、この公衆網接続判定処理は終了する。
【０１０４】
この公衆網接続判定処理が行なわれることにより、制御部２３０が公衆網７０Ｃと通信可能な状態で停電が発生すると、図４で説明したように、停電が発生した時刻ｔ１３から、所定時間Ｔ１経過した時刻ｔ１４で、通信部２１０Ａと、通信部２１０Ｃとが接続される。また、制御部２３０が公衆網７０Ｃと通信可能な状態にならない場合に、公衆網接続判定処理が行なわれること（ステップＳ１１０の処理が繰り返されるのみ）により、図５で説明したように、停電が発生した時刻ｔ１３に、通信部２１０Ａと通信部２１０Ｃとが接続される。
【０１０５】
すなわち、制御部２３０は、制御部２３０が公衆網７０Ｃと通信可能な状態であるか否かにより、停電等によりネットワーク装置１０００に供給される装置動作電圧がなくなった時にアナログ電話機１００Ａの接続先を切替えるタイミングを変化させる処理を行なう。
【０１０６】
次に、ネットワーク装置１０００の電源がオンされた後、すなわち、ネットワーク装置１０００に装置動作電圧の供給が開始された後、ＶｏＩＰ電話機１００ＢまたはＶｏＩＰ電話機１００Ｄと電話できる状態にする処理（ＩＰ電話回線接続処理）について説明する。
【０１０７】
図７は、ＩＰ電話回線接続処理のフローチャートである。図７を参照して、ステップＳ２１０では、制御部２３０が、アナログ電話機１００Ａがオンフック状態であるか否かを判定する。ステップＳ２１０において、ＹＥＳならば、ステップＳ２２０に進む。一方、ステップＳ２１０において、ＮＯならば、再度、ステップＳ２１０の処理が行なわれる。その後、ステップＳ２２０に進む。
【０１０８】
ステップＳ２２０では、回線接続処理Ａが行なわれる。回線接続処理Ａでは、前述の図４の時刻ｔ４，ｔ５，ｔ６において説明した処理が行なわれるので詳細な説明は繰り返さない。その結果、アナログ電話機１００Ａが、ＶｏＩＰ電話機１００ＢまたはＶｏＩＰ電話機１００Ｄと電話できる状態になる。その後、このＩＰ電話回線接続処理は終了する。
【０１０９】
したがって、アナログ電話機１００Ａが、たとえば、アナログ電話機１００Ｃと通話していているときに、このＩＰ電話回線接続処理が行なわれることで、アナログ電話機１００Ａと、アナログ電話機１００Ｃとの通話が途切れてしまうのを防ぐことができるという効果を奏する。
【０１１０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１１１】
【図１】本実施の形態におけるネットワーク装置の内部構成を示すブロック図である。
【図２】状態保持部の内部構成を示したブロック図である。
【図３】動作テーブルを示す図である。
【図４】ネットワーク装置の動作を説明するための、一例としての動作波形図である。
【図５】ネットワーク装置の動作を説明するための、一例としての動作波形図である。
【図６】公衆網接続判定処理のフローチャートである。
【図７】ＩＰ電話回線接続処理のフローチャートである。
【図８】通信回線を切替え可能な従来のネットワーク装置の内部構成を示すブロック図である。
【符号の説明】
【０１１２】
７０Ｃ  公衆網、７０Ｄ，７０Ｅ  ＩＰ網、２３０  制御部、２４０  切替え部、３２２Ａ  切替え用電源部、３２０Ａ  システム用電源部、４００  状態保持部、１０００  ネットワーク装置。
【図１】
2007104494.tif 000003
【図２】
2007104494.tif 000004
【図３】
2007104494.tif 000005
【図４】
2007104494.tif 000006
【図５】
2007104494.tif 000007
【図６】
2007104494.tif 000008
【図７】
2007104494.tif 000009
【図８】
2007104494.tif 000010